【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
（ａ）テキスタイル材料、皮革、熱可塑性樹脂、熱硬化性樹脂、およびこれらの組み合わせから選択される基材、
（ｂ）前記基材の前記表面と実質的に同一の広がりを有し、その上に供されるコーティングであって、また、
（ｉ）ポリイソシアナート、および
（ｉｉ）以下の式（Ｉ）、（ＩＩＩ）〜（ＶＩ）、（ＶＩＩＩ）〜（ＸＩＩＩ）及び（ＸＸＩＩＩ）のいずれかの活性な水素末端を有する着色剤を含む反応剤混合物の反応生成物であるポリウレタンポリマーまたはポリウレタンポリマーセグメントを含むコーティングを含む、
コーティングされた基材。
【化１】
2009532591.tif 000001
（式中、
Ｒ1またはＲ1−［Ｅ］mは、有機発色団であり、
Ｅは、窒素、酸素、硫黄、スルフィット基、スルホンアミド基、およびカルボキシル基であり、並びに
ｎおよびｍは、夫々、独立して、１〜５の整数であり；
各Ｚは、独立して、Ｃ1−Ｃ20アルキル、アリール、アルコキシル、およびオリゴマーから選択される二価の有機部位であり；ここで、前記オリゴマーは、
（Ａ）Ｃ2−Ｃ20アルキレンオキシ基、グリシドール基、およびグリシジル基から選択される少なくとも３つのモノマーを含むオリゴマー及び/又は
（Ｂ）構造（ＩＩ）の脂肪族オリゴマーエステル
【化２】
2009532591.tif 000002
（式中、Ｒ2およびＲ3は、夫々、独立して、水素またはＣ1−Ｃ10アルキル基であり、ｆは、１〜１０の整数であり、並びにｇは、１〜２０の値である。）
から選択され、
各Ｘは、独立して、水素、ヒドロキシル基、スルフヒドリル基、チオール基、アミン基、アルキル基、アリール基、アルキルエステル基、アリールエステル基、有機スルホナート基、有機スルファート基、およびアミド基から選択される末端基であり、
少なくとも１つの−Ｚ−Ｘ末端は、ヒドロキシル基、スルフヒドリル基、チオール基、第一級アミン基、第二級アミン基、第一級アミド基、および第二級アミド基から選択される基で終わっており、並びに
少なくとも１つの−Ｚ−Ｘ成分は、式（ＩＩＩ）のオリゴマー成分を含む）；
【化３】
2009532591.tif 000003
（式中、
Ｘ及びＺは、式（Ｉ）で定義されとおりのものであり、並びに
Ｒ4またはＲ4−（Ｇ-）hは有機発色団を示し、
Ｇ-は、ＳＯ3-またはＣＯ2-であり、
各Ｒ5は、独立して、水素、アルキル基またはアリール基であり、
Ｍは、窒素原子またはリン原子であり、
ｈは１〜４の整数であり、
ｋは、０〜５の整数であり、
ｊは、１〜６の整数であり、並びに
Ｍが窒素原子である場合には、ｋおよびｊの合計は４であり、Ｍがリン原子である場合には、ｋおよびｊの合計は６である。）；
【化４】
2009532591.tif 000004
（式中、
Ｘ及びＺは、式（Ｉ）で定義されとおりのものであり、並びに
Ｒ6は、水素、アルキル基、アリール基、アリールアルキル基、アルキルアリール基、または−Ｚ−Ｘであり
Ｒ7は、水素、ハロゲン原子、アルキル基、アルコキシ基、ニトリル基、ニトロ基、アミド基、またはスルホンアミド基であり、並びに
Ｒ8およびＲ9は、夫々、独立して、水素、ハロゲン原子、第三級アミノ基、イミン基、シアノ基、ピリジニウム基、エステル基、アミド基、スルファート基、スルホナート基、スルフィド基、スルホキシド基、ホスフィン基、ホスフィニウム（phosphin
ium）基、ホスファート基、ニトリル基、メルカプト基、ニトロ基、スルホン基、アシル基、アゾ基、アルキル基、アルコキシ基、アリール基、アリールオキシ基、アリールアルキル基、アリールアルコキシ基、アルキルアリール基またはアルキルアリールオキシ基である。）；
【化５】
2009532591.tif 000005
（式中、
Ｘ及びＺは、式（Ｉ）で定義されとおりのものであり、並びに
Ｒ10は、水素、アルキル基、アリール基、アリールアルキル基、アルキルアリール基、または−Ｚ−Ｘであり、
各Ｒ11は、独立して、水素、ハロゲン原子、アルキル基、アルコキシ基、ニトリル基、ニトロ基、アミド基、またはスルホンアミド基であり、
Ｒ12は、芳香族基およびヘテロ原子含有芳香族基であり、
Ｑは、水素、または酸素、硫黄、カルボニル基、スルホニル基、置換および無置換の１，３−ベンゾチアゾール基、Ｃ1−Ｃ8アルキル基、Ｃ2−Ｃ8アルケン基、ｐ−フェニレンジアミン基、ｍ−ヒドロキシベンゼン基、およびｍ−ジ（Ｃ1−Ｃ4）アルコキシベンゼン基から選択される架橋基であり、
ｒは１または２である。）；
【化６】
2009532591.tif 000006
（式中、
Ｘ及びＺは、式（Ｉ）で定義されとおりのものであり、並びに
Ｒ13は、水素、アルキル基、アリール基、アリールアルキル基、アルキルアリール基、または−Ｚ−Ｘであり、
Ｒ14は、水素、ハロゲン原子、アルキル基、アルコキシ基、アルキルアミノ基、またはアリールアミノ基であり、
Ｒ15は、水素、ハロゲン原子、アルキル基、アルコキシ基、アルキルアミノ基、アリールアミノ基、シアノ基、ニトロ基、アミド基、スルフィット基またはスルホンアミド基であり、並びに
各ｑは、０〜４の整数である。）；
【化７】
2009532591.tif 000007
（式中、
Ｘ及びＺは、式（Ｉ）で定義されとおりのものであり、並びに
Ｒ23は、水素、ハロゲン原子、ヒドロキシル基、アミノ基、ニトロ基またはアセトアミド基であり、
Ｒ24およびＲ25は、夫々、独立して、水素およびヒドロキシル基であり、
Ａは、アルキル基またはアリール基であり、並びに
Ｂは、ＯＲ３８（Ｒ３８は、水素、Ｃ１−１８−アルキル基もしくはアリール基である。）またはＮＨＲ３９（Ｒ３９は、アリール基もしくは−Ａ−Ｚ−Ｘである。）；
【化８】
2009532591.tif 000008
（式中、
Ｘ及びＺは、式（Ｉ）で定義されとおりのものであり、並びに
Ｒ26は、シアノ基、ニトロ基、アルキルカルボニル基、アリールアルキルカルボニル基、アルコキシカルボニル基、アリールアルコキシカルボニル基、アミド基、またはアルキルアミド基であり、
Ｒ27は、水素、Ｃ1−Ｃ20アルキル基、またはＣ7−Ｃ20アリールアルキル基であり、並びに
Ｒ28は、水素、Ｃ1−Ｃ20アルキル基、アリール基、Ｃ7−Ｃ20アリールアルキル基、Ｃ7−Ｃ20アルキルアリール基、または−Ｚ−Ｘである。）； 
【化９】
2009532591.tif 000009
（式中、
Ｘ及びＺは、式（Ｉ）で定義されとおりのものであり、並びに
Ｒ29は、芳香族基、ヘテロ原子含有芳香族基、置換および無置換１，３−ベンゾチアゾール基、または置換および無置換１，２−ベンズイソチアゾール基であり、
Ｒ30は、水素、Ｃ1−Ｃ20アルキル基、またはＣ7−Ｃ20アリールアルキル基であり、
Ｒ31は、水素、Ｃ1−Ｃ20アルキル基、アリール基、Ｃ7−Ｃ20アリールアルキル基、Ｃ7−Ｃ20アルキルアリール基、または−Ｚ−Ｘである。）；
【化１０】
2009532591.tif 000010
（式中、
Ｘ及びＺは、式（Ｉ）で定義されとおりのものであり、並びに
Ｗは、酸素、硫黄、スルホン基、カルボニル基、Ｃ1−Ｃ8アルキル基、Ｃ2−Ｃ8アルキレン基、またはｐ−フェニレンジアミンから選択される架橋基であり、
Ｒ32は、水素、Ｃ1−Ｃ20アルキル基、またはＣ7−Ｃ20アリールアルキル基であり、並びに
Ｒ33は、水素、Ｃ1−Ｃ20アルキル基、アリール基、Ｃ7−Ｃ20アリールアルキル基、Ｃ7−Ｃ20アルキルアリール基、または−Ｚ−Ｘである。）；
【化１１】
2009532591.tif 000011
（式中、
Ｘ及びＺは、式（Ｉ）で定義されとおりのものであり、並びに
Ｙは、酸素、硫黄、および−ＮＲ40を有する基から成る群から選択され、ここで、Ｒ40は、水素、アルキル基およびアリール基であり、
Ｒ34は、水素、アルキル基、アリール基、アリールアルキル基、アルキルアリール基、または−Ｚ−Ｘであり、
Ｒ35は、水素、ハロゲン原子、アルキル基、アルコキシ基、アルキルアミノ基またはアリールアミノ基であり、あるいは、Ｒ35は、Ｒ34と結合して環を形成することができる。）；
【化１２】
2009532591.tif 000012
（式中、
Ｘ及びＺは、式（Ｉ）で定義されとおりのものであり、並びに
Ｒ36は、水素、アルキル基、アリール基、アリールアルキル基、アルキルアリール基、および構造−Ｚ−Ｘを有する活性な水素末端を有する成分から成る群から選択され、
Ｒ37は、水素、ハロゲン原子、アルコキシ基、アルキルアミノ基、および構造Ｒ41−Ｃ（Ｏ）−ＮＨ−を有する基から成る群から選択され、ここで、Ｒ41は、水素、アルキル基およびアリール基から成る群から選択される。）；
【化１３】
2009532591.tif 000013
（式中、
Ｘ及びＺは、式（Ｉ）で定義されとおりのものであり、並びに
Ｒ50は、水素、ハロゲン原子、ヒドロキシル基、アミノ基、ニトロ基またはアセトアミド基であり、
Ｒ51およびＲ52は、夫々、独立して、水素およびヒドロキシル基であり、並びに
Ｂは、−ＯＲ３８（Ｒ３８は、水素、Ｃ１−１８−アルキル基もしくはアリール基である。）または−ＮＨＲ５３（Ｒ５３は、アリール基もしくは−Ｚ−Ｘである。）
【請求項２】
前記基材が、テキスタイル材料、皮革、およびこれらの組み合わせから選択される請求項１に記載のコーティングされた基材。
【請求項３】
前記活性な水素末端を有する着色剤の量は、前記反応混合物の重量ベースで５〜６５重量％である請求項１または２に記載のコーティングされた基材。
【請求項４】
前記反応剤混合物は、鎖延長剤、ポリオール、およびこれらの組み合わせから選択される少なくとも１種の反応剤をさらに含む請求項１〜３のいずれか1項に記載のコーティングされた基材。
【請求項５】
ポリウレタンポリマーまたはポリウレタンポリマーセグメントは、
（ａ）ポリイソシアナート、および活性な水素末端を有する着色剤を反応させて、ポリマー中間体を生成する工程、および
（ｂ）前記工程（ａ）のポリマー中間体と、鎖延長剤、ポリオールおよびこれらの組み合わせから選択される少なくとも１種の反応剤とを反応させる工程を含むプロセスにより得ることができる請求項４に記載のコーティングされた基材。
【請求項６】
前記反応剤混合物が、内部界面活性剤をさらに含む請求項１〜５のいずれか1項に記載のコーティングされた基材。
【請求項７】
ポリウレタンポリマーまたはポリウレタンポリマーセグメントが、
（ａ）ポリイソシアナート、および活性な水素末端を有する着色剤を反応させて、ポリマー中間体を生成する工程、および
（ｂ）前記工程（ａ）のポリマー中間体と内部界面活性剤とを反応させる工程を含むプロセスにより得ることができる請求項６に記載のコーティングされた基材。
【請求項８】
前記コーティングが、ポリウレタンポリマーまたはポリウレタンポリマーセグメントに加えて、第２のポリマーをさらに含む請求項１〜７のいずれか1項に記載のコーティングされた基材。
【請求項９】
（ａ）水性連続相、および
（ｂ）（ｉ）ポリイソシアナート、
（ｉｉ）請求項１記載の活性な水素末端を有する着色剤、および
（ｉｉｉ）内部界面活性剤
を含む反応剤混合物の反応生成物であるポリウレタンポリマーまたはポリウレタンポリマーセグメントを含む不連続相を含む分散体であって、
前記活性な水素末端を有する着色剤の量は、前記反応剤混合物の重量ベースで２０重量％を超える分散体。
【請求項１０】
前記反応剤混合物が、鎖延長剤、ポリオール、およびこれらの組み合わせから選択される少なくとも１種の反応剤をさらに含む請求項９に記載の分散体。
【請求項１１】
反応剤混合物中の活性な水素末端を有する着色剤の量は、２５〜７５重量％である請求項９または１０に記載の分散体。
【請求項１２】
（ａ）水性連続相、および
（ｂ）
（ｉ）ポリイソシアナートと請求項1記載の活性な水素末端を有する着色剤とを反応させてポリマー中間体を生成する工程、
（ｉｉ）前記工程（ｉ）のポリマー中間体と内部界面活性剤とを反応させる工程、とを含むプロセスにより得ることのできる
ポリウレタンポリマーまたはポリウレタンポリマーセグメントを含む不連続相
を含む分散体。
【請求項１３】
前記不連続相が、ポリウレタンポリマーまたはポリウレタンポリマーセグメント、中和剤、および随意に鎖延長剤の反応生成物を含む請求項９〜１２のいずれか1項に記載の分散体。
【請求項１４】
前記ポリイソシアナート、前記活性な水素末端を有する着色剤、および前記内部界面活性剤の合計した総重量ベースで、前記活性な水素末端を有する着色剤の量は、２５〜７５重量％である請求項１２に記載の分散体。
【請求項１５】
前記不連続相は、前記分散体の重量ベースで、５〜５０％重量である請求項９〜１２のいずれか1項に記載の分散体。
【請求項１６】
（ａ）少なくとも１つの表面を有する繊維状基材、および
（ｂ）前記基材の表面上のコーティングであって、前記コーティングは、
（ｉ）ポリウレタン樹脂、ポリウレア樹脂、およびこれらの組み合わせから選択される樹脂、並びに
（ｉｉ）発色団、および前記発色団に結合したオリゴマー成分を含むポリマー着色剤
を含有する合成皮革製品。